(57)【要約】本発明は、開放メッシュ非ブロック織物フォーミングのように形成された、生体適合性材料フィラメントで作られた織物に関する。ラップは織物の前部（ＡＶ）及び後部（ＡＲ）壁をそれぞれ構成し、実質的に多角形のセルは織物に少なくとも２つの直角方向に実質的に均衡した動的挙動を与える。前部壁及び後部壁のラップは筋かいによってリンク連結される。本発明は、筋かいが、補強材の壁（ＡＶ及びＡＲ）の１つを形成するラップの１つのモノフィラメント（２）によって与えられ、各モノフィラメントは、それ自体のラップの定数のメッシュ列の後ろに、織物の他の壁（ＡＶ及びＡＲ）を成す１つのラップのメッシュ（ｍ３）の１つを具備するメッシュ（Ｍ）を形成する。
2005504900.tif 000002
【特許請求の範囲】
【請求項１】
開放非ブロックメッシュを具備する織物フォーミングで加工された、生体適合性材料から構成されるモノフィラメントで作られた３次元の透かし細工の織物壁補強材であって、
ラップは織物の前部壁及び後部壁をそれぞれ構成し、実質的に多角形のセルはこの織物に少なくとも２つの直角方向に実質的に均衡した動的挙動を与え、前記前部壁及び前記後部壁から成るラップは筋かいによってリンク連結される、３次元の透かし細工の織物壁補強材において、
前記記筋かいは、前記補強材の壁（ＡＶ及びＡＲ）の１つを構成するラップの１つの前記モノフィラメント（２）によって保証され、これらのモノフィラメントの各々は、そのラップにおけるメッシュの一定数の列の後に、前記織物の他の壁（ＡＲ及びＡＶ）のラップの１つの前記メッシュの１つ（ｍ３）を備えたメッシュ（Ｍ）を構成することを特徴とする３次元フィレットスティチ織物壁補強材。
【請求項２】
それぞれの前部壁（ＡＶ）及び後部壁（ＡＲ）の各々が以下のスケールで編まれたモノフィラメントの２つのラップによって構成されることを特徴とする、請求項１に記載の壁補強材、
前部壁、
ラップａ）０．１．１．１／１．２．２．２／３．４．４．４／５．４．４．４／４．３．３．３／２．１．１．１／／
ラップｂ）５．４．４．４／４．３．３．３／２．１．１．１／０．１．２．１／１．２．２．２／３．４．４．４／／
後部壁：
ラップｃ）４．４．５．４／４．４．４．３／３．３．２．１／１．１．０．１／１．１．１．２／２．２．３．４／／
ラップｄ）１．１．０．１／１．１．１．２／２．２．３．４／４．４．５．４／４．４．４．３／３．３．２．１／／
【請求項３】
使用される前記モノフィラメント（２）がポリプロピレンから成りかつ０．０７〜０．１４ミリメートルの寸法を有することを特徴とする、請求項２に記載の壁補強材。
【請求項４】
使用される前記モノフィラメント（２）がポリプロピレンから成りかつ０．１０ミリメートルの寸法を有することを特徴とする、請求項２に記載の壁補強材。
【発明の詳細な説明】
【技術分野】
【０００１】
本発明は、例えば、頭頂及び／又は内蔵外科であるが外科の他の分野に適用することができる、３次元の透かし細工織物壁補強材（three-dimensional open-worked fabric wall reinforcement）に関する。
【背景技術】
【０００２】
従来技術文献は、織物の前部壁及び後部壁をそれぞれ構成するラップにおいて、実質的に多角形形状の複数のセルを形成する開放非ブロックメッシュ織りに機械加工される、ポリエステル、ポリアミド、あるいはポリプロピレンのような生体適合性重合体材料から成るモノフィラメントによって構成された透かし細工織物を既に開示する。これらのセルは、織物に、均衡のとれた動的挙動、すなわち、少なくとも２つの主方向、正確には長手方向及び長手方向に直角な方向における、伸長に対する実質的に同一の抵抗及び弾性復帰の同一の可能性を与える（例えば、特許文献１参照）。
【特許文献１】
仏国特許第２７７９９３７号公開公報
【０００３】
実際に、織物の前部壁を構成する単数又は複数のラップは、１つ又は複数のラップから成る筋かい（bracing）によって、後部壁を構成する単数又は複数のラップに連結される。前部及び後部壁のメッシュに係合されるメッシュは長い浮き編み(float)によって連結される。
【０００４】
このタイプの織物では、筋かいの浮き編みが２つの主方向で異なる弾性及び抗特特性を減じ、したがって、所望の等方弾性に悪影響を及ぼすことは明らかである。
【０００５】
さらに、この存在あるいは接続するラップは、織物の単位面積質量を増加させて、それらがモノフィラメントによって生産される場合、織物の一致および柔軟性を減じる傾向がある、これに反して、体腔壁の修理外科が、低い単位面積質量を備えた曲げ易い多孔性の織物を要求する。
【発明の開示】
【発明が解決しようとする課題】
【０００６】
本発明の目的は、これらの欠点を克服する壁補強材、及び、長手方向及び長手方向に直角な方向に同一の抵抗及び弾性特性を有する一方で、同時に、その低密度及び高孔隙率に影響を及ぼさずに、その柔軟性及び従順性を改善する織物を提供することである。
【課題を解決するための手段】
【０００７】
この目的のために、本発明による壁補強材では、織物の前部壁及び後部壁のそれぞれを構成するラップの筋かいは、補強材から成る壁の１つを構成するラップの１つのモノフィラメントによって保証される。これらのモノフィラメントの各々は、そののラップにおけるメッシュの一定数の列の後に、織物の他の壁のラップの１つのメッシュの１つを備えたメッシュを形成する。
【０００８】
したがって、例えば、前部壁を構成する２つのラップの１つは、結合を保証しかつ２つの壁を保持するために、後部壁のラップの１つのメッシュに係合するメッシュを、規則的な間隔で備える。
【０００９】
この装置によって、前部壁及び後部壁を構成するラップ間に付加的なラップはないが、もはやこれらの２つのラップ間には何れの浮き編みもない。こうした浮き編みは得られたメッシュ状構造体より更に制限された伸長能力を有する。
【００１０】
さらに、前部壁に形成されたメッシュと、後部壁に形成されたメッシュの間に延在する各モノフィラメントの部分は、その剛性又は堅固さびよってこれらの２つの壁の優れた安定性を保証する一方で、同時に得られた補強材の動的特性に影響を及ぼすことを回避する。
【００１１】
本発明は、本発明による編まれた壁補強材の実施形態を図示する添付図面を参照する以下の説明からより明白に理解される。
【発明を実施するための最良の形態】
【００１２】
図１及び図２では、メッシュ・カラムＡＶ及びＡＲは各々、生体適合材料から成るモノフィラメント、及び、例えば、ポリプロピレン・モノフィラメントによって、２重断面のＲａｃｈｅｌ空間上に構成されたメッシュから成る２つのラップを線図的に示す。
【００１３】
図１では、前部壁及び後部壁の関係は、次のメッシュｍ１が作り出されるまで、浮き編みＦが次の６つのメッシュ上に形成される以前に、６つの列毎に、織物の後部壁のラップの１つ上の１つのメッシュｍ１、そして次に前部壁のラップの１つ上の１つのメッシュｍ２と、交互に形成する中間ラップＮによって保証される。
【００１４】
もちろん、この結合は織物の種々のカラム、そして、例えば、２つのコラム毎に、ループｍ１、ｍ２が形成される列の偏倚によってなされる。
【００１５】
この図１は、編まれた補強材の現在の構造を図示し、かつ、ラップの伸長中に、長い浮き編みＦが、とにかくメッシュより小さい伸長運動に追従する可能性がほとんどないことを明確にする。このメッシュのループは糸を生産しかつ従って補強材の動的特性を知らせるのに寄与するためにそれ自体上で閉じることができる。
【００１６】
本発明による織物に対応する、図２は、例えば、前部ＡＶ壁及び後部ＡＲ壁の結合が、例えば、前部壁ＡＶの壁の１つのラップの１つを構成するモノフィラメント２、例えば、２行毎かつ６列毎によって保証されることを示す。２つのラップ上の１つのメッシュ上のメッシュＭを構成するこのモノフィラメントは後部壁ＡＲを構成する。この結果、及び織物の２つの壁の間に延在するモノフィラメント２の部分２ａを例外として、これらの２つの壁の間のこうした浮き編みのような他の要素はない。
【００１７】
結果として、伸長しかつ弾性復帰さえする場合には、２つの壁ＡＶ及びＡＲの各々のメッシュ構造体は浮き編み糸によって妨害されない。そして長手方向に直角に配置された結合部分２ａはより運動に追従することができ、２つの壁の間で結合するメッシュを締めたり緩めたりを同時に制御する。
【００１８】
図３ａ及び図３ｂは、以下のスケールによって作り出され、本発明による織物の前部壁及後部壁のそれぞれを構成する２つのラップの結合スクリーンを図示する。
【００１９】
前部壁：
ラップａ）０．１．１．１／１．２．２．２／３．４．４．４／５．４．４．４／４．３．３．３／２．１．１．１／／
ラップｂ）５．４．４．４／４．３．３．３／２．１．１．１／０．１．２．１／１．２．２．２／３．４．４．４／／
後部壁：
ラップｃ）４．４．５．４／４．４．４．３／３．３．２．１／１．１．０．１／１．１．１．２／２．２．３．４／／
ラップｄ）１．１．０．１／１．１．１．２／２．２．３．４／４．４．５．４／４．４．４．３／３．３．２．１／／
【００２０】
この織物は、０．０７〜０．１４ミリメートル、好ましくは０．０８又は０．１０ミリメートルの繊度、強度及び剛性を完全に組み合わせた寸法を有する、ポリプロピレン・モノフィラメントから作り出される。フィラメントは、後部壁の２つのラップの１つを構成するメッシュｍ３のこれらのニードル上での形成と同時に、後部構造体の幾つかのニードル上のメッシュＭを局所的に構成する、アトラスタイプの織り方で機械加工される。
【００２１】
この織り方は、Ｍが前部ラップＡＶから生じて、最前部に配置された後部壁ＡＲのラップの１つのメッシュｍ３を備えた二重メッシュを構成する、図４を拡大したものに現われる織物を作り出すことを可能にする。
【００２２】
このイメージは、種々のラップのメッシュによって形成された一般的な多角形形状のセルによって、織物が低密度と共に高孔隙率を有する透かし細工の構造を有することを明白に示す。多角形の側辺上のそれらの配置によって、開放非ブロックメッシュは、図４の鉛直及び横方向のそれぞれに対応する長手方向及び長手方向に直角な方向の変形の実質的に同じ可能性を織物に与える。
【図面の簡単な説明】
【００２３】
【図１】中間のラップによって補強した織物を図示する部分的断面側面図である。
【図２】本発明による織物の横断面側面図である。
【図３ａ】本発明による織物の実施形態に対する、後部壁及び前部壁をそれぞれ構成する２つのラップの結合を示す線図である。
【図３ｂ】本発明による織物の実施形態に対する、後部壁及び前部壁をそれぞれ構成する２つのラップの結合を示す線図である。
【図４】２０倍の拡大率で走査型電子顕微鏡法により撮影した本発明による織物の前側イメージを示す図である。
【符号の説明】
【００２４】
２  モノフィラメント
２ａ  部分
ｍ１、ｍ２、ｍ３  メッシュ
Ｆ  浮き編み
ＡＶ  前部壁
ＡＲ  後部壁
Ｎ  中間ラップ
Ｍ  メッシュ
【国際公開パンフレット】
2005504900.tif 000003
2005504900.tif 000004
2005504900.tif 000005
2005504900.tif 000006
2005504900.tif 000007
2005504900.tif 000008
2005504900.tif 000009
2005504900.tif 000010
2005504900.tif 000011
【国際調査報告】
2005504900.tif 000012
2005504900.tif 000013
2005504900.tif 000014
2005504900.tif 000015